(57)【要約】      （修正有）【課題】台風や暴風雨の時にビニール洋傘を全開して使用している時ビニール洋傘ドーム内に台風や暴風が吹き込んで来て、台風や暴風の風力風圧力で逆さ傘になって破損しない、吹き飛ばされて紛失しない、破損や紛失しないので、びしょ濡れにならない、安心安全で長期間使用可能の経済的な暴風雨対応ファンクション構造洋傘を提供する。【解決手段】ビニール洋傘を親骨１と受骨ジョイント部位３６０°円周、又はジョイント部位３６０°円周付近で上部と下部にカット区分して２重構造にする。上部と下部にカット区分した上部カット区分３６０°外周は伸縮自在の幅６ｃｍ前後の成形したギャザービニール７で、下部カット区分３６０°外周フラットビニール８上部で幅３ｃｍ前後、上下別々、相互重複２重構造になっている。【選択図】図１
0003191754.tif 000002
【実用新案登録請求の範囲】
【請求項１】
ビニ−ル洋傘を親骨と受骨ジョイント部位３６０°円周、又はジョイント部位付近３６０°円周で上部と下部にカット区分して２重構造になっているファンクションを特徴とする、暴風雨対応ファンクション構造洋傘。
【請求項２】
上部と下部にカット区分して２重構造になっているビニ−ル洋傘の、上部カット区分３６０°外周は伸縮自在の幅６ｃｍ前後の成形したギャザ−ビニ−ルになって下部カット区分３６０°外周フラットビニ−ルの上部で幅３ｃｍ前後、上下別々、相互重複２重構造になっているファンクションを特徴とする、請求項１記載の暴風雨対応ファンクション構造洋傘。
【請求項３】
上部カット区分３６０°外周縁ギャザ−ビニ−ル部位直近の、下部カット区分３６０°外周フラットビニ−ル上部に設けた柔軟性伸縮自在円筒状の、漏水防止ファンクションでビニ−ル洋傘を畳んで石突を下にしても、下部カット区分３６０°外周フラットビニ−ルから下方に流れる雨水が上部カット区分３６０°外周縁ギャザ−ビニ−ル部位の隙間からビニ−ル洋傘ド−ム内に雨水の流入防止ファンクションを特徴とする、請求項２記載の暴風雨対応ファンクション構造洋傘。
【考案の詳細な説明】
【技術分野】
【０００１】  台風や暴風雨の時に外出して、洋傘を全開して使用しても逆さ傘になって破損しない、吹き飛ばされて紛失しない、安心安全で長期間使用可能な暴風雨対応ファンクション構造洋傘に係わる。
【背景技術】
【０００２】  既存の洋傘は台風や暴風雨の時に全開して使用すると、台風や暴風の風力風圧力で、洋傘が逆さ傘になって破損びしょ濡れになったり、洋傘が吹き飛ばされて紛失びしょ濡れになるケ−スが全国各地で無数に続出して、破損放棄や紛失放置された無数の洋傘の廃品回収、残骸処理に各地方自治体は多額で貴重な税金を毎年コンティニュ−捻出しています。台風や暴風雨の時に外出して、洋傘を全開して使用しても逆さ傘になって破損しない、吹き飛ばされて紛失しない、破損や紛失でびしょ濡れにならない、暴風雨対応ファンクション構造洋傘の製作が希求される。
【考案の概要】
【考案が解決しようとする課題】
【０００３】  台風や暴風雨の時に洋傘を全開して、使用している時、洋傘ド−ム内に台風や暴風が吹き込んで来て、吹き込んで来た台風や暴風の風力風圧力で、洋傘が逆さ傘になって破損しない、洋傘が吹き飛ばされて紛失しない、暴風雨対応ファンクション構造洋傘。
【考案を解決するための手段】
【０００４】  ビニ−ル洋傘を親骨と受骨ジョイント部位３６０°円周、又はジョイント部位付近３６０°円周で上部と下部にカット区分して２重構造になっている。
【０００５】  ２重構造になっているビニ−ル洋傘の、上部カット区分３６０°外周は伸縮自在の幅６ｃｍ前後ギャザ−ビニ−ルで、下部カット区分３６０°全面はフラットビニ−ルで、上部ギャザ−ビニ−ル外周と下部フラットビニ−ル外周は幅３ｃｍ前後、上下別々、相互重複２重構造になっている。
【０００６】  ビニ−ル洋傘の上部カット区分３６０°外周、伸縮自在の幅６ｃｍ前後ギャザ−ビニ−ルと、上部ギャザ−ビニ−ル外周と下部フラットビニ−ル外周の、幅３ｃｍ前後、上下別々、相互重複２重構造の親骨と親骨の各セクション両サイドは親骨総数１６本の各親骨に、強固に付着固定。
【０００７】  ビニ−ル洋傘ド−ム内に吹き込んで来た台風や暴風の風力風圧力は、上部カット区分３６０°外周、伸縮自在の幅６ｃｍ前後ギャザ−ビニ−ルを押し上げ膨張アダプト開口して、台風や暴風をビニ−ル洋傘ド−ム内からビニ−ル洋傘ド−ム外へと大量スル‐放出。
【０００８】  ビニ−ル洋傘を畳んで石突を下にしても、柔軟性伸縮自在円筒状の、漏水防止ファンクションで、ビニ−ル洋傘ド−ム内への雨水の漏水を防止。
【考案の効果】
台風や暴風雨の時に外出して、本考案の暴風雨対応ファンクション構造洋傘を全開して、使用しても、台風や暴風の風力風圧力で逆さ傘になって破損びしょ濡れにならない、吹き飛ばされて紛失びしょ濡れになる懸念はなく、安心安全で長期間使用可能の、再購入不要の経済的な洋傘。
本考案の暴風雨対応ファンクション構造洋傘を畳んで石突を下にしても、柔軟性伸縮自在円筒状の、漏水防止ファンクションで洋傘ド−ム内への雨水の漏水を防止。台風や暴風の風力風圧力で逆さ傘になって破損放棄や吹き飛ばされて紛失放置された洋傘が巷に数多く点在して、その破損放棄や紛失放置された洋傘の廃品回収、残骸処理に各地方自治体は費用対効果ゼロ非建設的な税金支出を毎年コンティニュ−捻出しています。逆さ傘になって破損放棄や吹き飛ばされて紛失放置された全国の洋傘廃品回収費用、洋傘残骸処理費用の積算は莫大な金額になるでしょう。
５年１０年２０年コンティニュ−税金支出、その積算金額は巨額な支出金額になるでしょう。
本考案の、暴風雨対応ファンクション構造洋傘は、巨額な税金支出の回避に大きく貢献します。
【図面の簡単な説明】  ビニ−ル洋傘を親骨と受骨ジョイント部位３６０°円周、又はジョイント部位付近３６０°円周で、上部と下部にカット区分して２重構造になっている。２重構造になっているビニ−ル洋傘の上部カット区分３６０°外周は、伸縮自在の幅６ｃｍ前後の成形ギャザ−ビニ−になって下部カット区分３６０°外周フラットビニ−ル上部で幅３ｃｍ前後、上下別々、相互重複２重構造ファンクションを特徴とする暴風雨対応ファンクション構造洋傘。
【図１】洋傘を全開した側面図。
【図２】洋傘を全開して真上から視た正面図。
【符号の説明】  １・・・親骨
２・・・親骨と受骨のジョイント
３・・・上部カット区分３６０°外周、幅３ｃｍ前後ギャザ−ビニ−ルと下部カット区          分３６０°外周、幅３ｃｍ前後フラットビニ−ルの上下別々、相互重複２重構          造ファンクション
４・・・露先
５・・・石突
６・・・中棒
７・・・上部カット区分３６０°外周縁ギャザ−ビニ−ル
８・・・下部カット区分３６０°外周縁フラットビニ−ル
９・・・上部カット区分３６０°外周、幅３ｃｍ前後ギャザ−ビニ−ルと下部カット区          分３６０°外周、幅３ｃｍ前後フラットビニ−ルの上下別々、相互重複２重構          造の、親骨と親骨の各セクション両サイドは親骨総数１６本の各親骨に、強固          に付着固定
１０・・・柔軟性伸縮自在円筒状の、漏水防止ファンクション
１１・・・上下別々、相互重複２重構造になっていない上部カット区分３６０°
幅３ｃｍ前後ギャザ−ビニ−ル
１２・・・上下別々、相互重複２重構造になっていない上部カット区分３６０°
幅３ｃｍ前後ギャザ−ビニ−ルの、親骨と親骨の各セクション両サイドは親骨          総数１６本の各親骨に、強固に付着固定
【図１】
0003191754.tif 000003
【図２】
0003191754.tif 000004